(57)【要約】      （修正有）【課題】一斗缶やペール缶などの液体の入った缶体を、注ぎ口を頂点に横置きして、ハンドルを回すだけで、意図した量の液体を、溢すことなく小出し出来る反転倒立台座を提供する。【解決手段】台座1、支持軸2-aを有し缶体を横置き出来る缶置台2、及び、ハンドル3-aを設けた変速ギヤ3を有する反転倒立台座であって、台座1は缶置台2を支持軸2-aで支え、ハンドル3-aは支持軸2-aと連結し、変速ギヤ3は台座1に取り付けられる。意図した速度で缶体を反転させられ、液体を素直に注ぎ出すことができる。変速ギヤ3の効果により、注ぎ終えた位置で静止するので、缶体の傾き加減で、缶体内の液面の位置がわかり、残液量の目安を付けることが出来る。【選択図】図２
0003210897.tif 000002
【実用新案登録請求の範囲】
【請求項１】
一斗缶やペール缶などの缶体に入った液体を小出しするため、缶体の注ぎ口を頂点に横置きし、注ぎ口を中心に、缶底を持ち上げるように、反転倒立させられる缶体反転倒立台座。
【請求項２】
缶体を乗せて反転倒立させる際、回転支持軸に変速ギヤを用いて、ハンドルを設け、片手で軽く缶体を反転倒立させて、缶体注ぎ口から出てくる液体を目視しながら、液量の調整が出来る缶体反転倒立台座。
【請求項３】
缶体を反転倒立させて、必要な液量を小出し終えた位置で保管でき、缶体の傾き加減で、缶体内の液面の位置がわかり、残液量の目安を付けることが出来る、缶体反転倒立台座。
【考案の詳細な説明】
【技術分野】
【０００１】
本考案は、一斗缶やペール缶などの液体が入った缶体から、液体を溢すことなく、必要量を容易に小出しでき、缶体内に残った液面の予測ができる缶体反転倒立台座に関するものである。
【背景技術】
【０００２】
一斗缶やペール缶などの缶体から、液体を小出しに取り出す際、注ぎ口を頂点になるよう缶体を横に寝かせて抱え上げ、小出しする容器に注ぎ口を近づけて、注ぎ口から出てくる液体が、注ぎ口を塞がない程度に、缶体を傾け、液体を注ぎ入れている。もしくは、注ぎ口に、専用ポンプを取り付けたり、注ぎ口に、空気を缶体内に送れるアタッチメントを装着したり、缶体に加工を施して、空気が缶体内に流入するようにして注ぎ入れたり、缶体を傾けることのできるスタンドなどを利用している。
【先行技術文献】
【特許文献】
【０００３】
【特許文献１】特開2008-100714号  公報
【特許文献２】特開2011-136770号  公報
【特許文献３】特開2011−126597号  公報
【特許文献４】特開2010-280440号  公報
【特許文献５】特開2009-107643号  公報
【特許文献６】特開2009-107644号  公報
【特許文献７】特開2005-008271号  公報
【特許文献８】特開2000-255582号  公報
【特許文献９】特開平11-236100号  公報
【特許文献１０】特開平10-194293号  公報
【特許文献１１】特開平08-198390号  公報
【特許文献１２】特開平08-151100号  公報
【特許文献１３】特開平07-260087号  公報
【特許文献１４】特開平07-300137号  公報
【特許文献１５】実開平07-033849号  公報
【特許文献１６】実開平06-080645号  公報
【特許文献１７】実登3139517号  公報
【特許文献１８】実登3061779号  公報
【特許文献１９】実登3000577号  公報
【特許文献２０】実登3096867号  公報
【特許文献２１】実登3065545号  公報
【特許文献２２】実登3052321号  公報
【特許文献２３】特開平06-288356号  公報
【特許文献２４】特開平06-288357号  公報
【特許文献２５】特開平06-101637号  公報
【特許文献２６】実開平05-019799号  公報
【考案の概要】
【考案が解決しようとする課題】
【０００４】
液体の入った缶体を持ち上げて注ぎだすには、あまりに体力的負担が大きい。また、注ぎ口から出てくる液体が、注ぎ口を塞いでしまうくらい缶体を傾けると、空気が缶体内に流入しなくなり、上手く注げない。そこで、注ぎ口を液体が塞がないように、傾けていく必要があるが、缶体を抱え上げた姿勢では、注ぎ口や小出しする容器が見えにくく、熟練した技量と体力が必要になる。専用のポンプや、アタッチメントなどは、液体を小出し終えた時や、缶体の交換などの時、ポンプやアタッチメントに付着した液体の処理、ほこりなどの不純物の付着や混入を防ぐ処理に手間がかかる。缶体を、傾けられるスタンドなどは、缶体を横に寝かせるように傾ける際、注ぎ口が下に傾くので、缶体内の液体が多い状態では、わずかに傾けただけで、注ぎ口が液体で塞がり、缶体内に空気が入らず、うまく注げない。そして、どの注ぎ方でも、小出し終えると、缶体内の残液量がわからない。次に小出しする際は、液体の出だしがわからず、傾けすぎて、こぼしてしまう。そこで、注ぎ口を頂点に横に寝かせた状態で、注ぎ口正面から目視しながら、缶底を持ち上げるように反転させ、缶体の注ぎ口が液体で塞がらないように、意図した速度で容易に小出しでき、小出し終えた位置で静止して、缶体の傾き加減で残液面の予測ができ、次の小出しする際、液面が注ぎ口間近にあるので、出だしの予測が付く、缶体を反転倒立させられる台座で、前途の欠点を解決しようとするものである。
【課題を解決するための手段】
【０００５】
本考案は、液体の入った缶体の注ぎ口を頂点にして、注ぎ口を開けても液体がこぼれ出ない位置で、横に寝かせて置け、反転倒立しても、ずり落ちない形状の缶置台を設け、缶置台には、缶体の注ぎ口付近を中心に、缶底を持ち上げるように反転動作をさせるための支持軸がある。この支持軸を、缶置台が、垂直を上回る角度まで倒立しても、支えることのできる台座で構成される。さらに、缶体を載せ、注ぎ口付近を中心にした軸に、変速ギヤを用いて、注ぎ口に対し正面から、片手で容易に、缶体を反転倒立動作させるハンドルを設ける。ハンドルを回すことで、意図した速度で、缶体底部を持ち上げ、注ぎ口が液体で塞がらないように、目視しながら小出しでき、変速ギヤ比の効果により、傾けた位置で静止する缶体反転倒立台座で、問題点を解決するものである。
【考案の効果】
【０００６】
前途のように、本考案は、液体の入った缶体を、そのまま、注ぎ口を頂点になるように置くだけで、小出しすることが出来る。缶体の注ぎ口側を正面に相対する位置で、片手でハンドルを回し、出てくる液体に合わせ傾けられ、もう片方の手に、別の容器を持ち、注ぎ口のベロ下に添えれば、最初から少量の小出しもできる。缶体の注ぎ口を中心に、缶体が反転倒立していくので、小出しする容器を、移動させる必要がない。必要量の液体を取り出せたら、ハンドルを逆転させ、注ぎ口から液体が出ない位置まで、缶体の傾きを戻したところで保管する。缶体の傾き加減で、缶体内の液面の位置がわかり、残液量の目安を付けることが出来る。
【図面の簡単な説明】
【０００７】
【図１】本考案の缶置台と台座の基本構成図である。
【図２】図1の基本構成に、変速ギヤボックスとハンドルを取り付け、一斗缶を乗せ、ベルトで固定した図である。
【図３】ハンドルを回し、缶底側が水平近くに持ち上がった図である。
【図４】さらに、ハンドルを回し、缶底側が反転倒立しかかっている図である。
【図５】さらに、ハンドルを回し、缶底側が反転倒立しかかっている図である。
【図６】さらに、ハンドルを回し、缶底側が反転倒立した図である。
【図７】さらに、ハンドルを回し、缶底側が反転倒立し、さらに、倒れかかっている図である。
【図８】ペール缶を搭載した図である。
【考案を実施するための形態】
【０００８】
缶体の注ぎ口を、本考案の缶体反転倒立台座のハンドル側に、注ぎ口が頂点になるように置く。缶置台に備え付けられているベルトで固定し、缶置台の缶底側にある、アジャストボルトを調整し、缶体内の液体が出ない位置に調整しておく。缶体注ぎ口側に正面相対する位置で、缶体注ぎ口の蓋を開ける。片手で小出しする容器を、缶体注ぎ口のベロ下に差し込むように構える。もう片方の手でハンドルを回すことで、缶体の缶底側が持ち上がり、注ぎ口から液体が出てくる。必要な量の液体が、小出し容器に溜まったら、ハンドルを逆方向に回し、缶底を下げて、液体の流出を止める。その位置のまま、注ぎ口の蓋をして保管する。この時、注ぎ口下面と水平なラインを想像すると、液体残量の目安がつく。何度か、小出しし、缶体が水平より反転倒立し始めれば、注ぎ口のベロに容器を差し込まなくても、液体は、安定して注げる。缶体が垂直を超えると中身がないので、ハンドルを逆方向に、アジャストボルトが接地するまで回し、缶体を交換する。
【実施例】
【０００９】
以下、添付図面に従って一実施例を説明する。図1の1が台座で、2の缶置台の、2-a支持軸を支えている。缶置台は、一斗缶やペール缶を置ける寸法で制作し、缶体の注ぎ口下面を中心に反転運動するよう設計する。缶底側下部には、2-bアジャストボルトを取り付けておく。缶体によって、横置きした時に、注ぎ口から、液体が出てこない位置が違うので、調整できるようにしておく。缶体が垂直を超えて倒立するので、落下防止として、2缶置台両側面に、2-cベルト固定フックを設け、2-dのようなベルトを取り付ける。
【００１０】
図2は、缶置台2の支持軸2-aに、変速ギヤをボックスに収めたものを連結し、台座1に固定して、ハンドルを取り付け、例として、一斗缶を固定したものである。
【００１１】
図3〜7は、ハンドルを回すことで、缶体が倒立していく様子を描いたものである。変速ギヤの効果で、どの位置でも静止する。この時、注ぎ口の下面から水平に液面があることが想像できるので、残量の目安がつけられる。
【００１２】
図8は、缶置台を、一斗缶とペール缶が併用できるよう設計した場合の、ペール缶を固定した時の図である。ペール缶の持ち手は、缶体を固定するベルトで、缶体とともに固定できる。
【符号の説明】
【００１３】
1    台座
2    缶置台
2-a  支持軸
2-b  アジャストボルト
2-c  ベルト取り付けフック
2-d  固定ベルト
3    変速ギヤボックス
3-a  ハンドル
【図１】
0003210897.tif 000003
【図２】
0003210897.tif 000004
【図３】
0003210897.tif 000005
【図４】
0003210897.tif 000006
【図５】
0003210897.tif 000007
【図６】
0003210897.tif 000008
【図７】
0003210897.tif 000009
【図８】
0003210897.tif 000010
【手続補正書】
【提出日】平成29年3月29日(2017.3.29)
【手続補正１】
【補正対象書類名】実用新案登録請求の範囲
【補正対象項目名】全文
【補正方法】変更
【補正の内容】
【実用新案登録請求の範囲】
【請求項１】
台座1、支持軸2-aを有し缶体を横置き出来る缶置台2、及び、
ハンドル3-aを設けた変速ギヤ3を有する反転倒立台座であって、
台座1は缶置台2を支持軸2-aで支え、ハンドル3-aは支持軸2-aと連結し、
変速ギヤ3は台座1に取り付けてなる、反転倒立台座。